(57)【要約】【課題】片手の操作でケース本体から電源部を容易に取り外すことができ、作業性を向上し得る電子機器のケース着脱構造を提供する。【解決手段】ケース本体３１内に、前端側に増幅部、後端側に電源部３５を近接して設ける。電源部３５の一方の側部に弾力性を持たせた可動フック４７を設け、この可動フック４７に対応するケース本体３１の内側に係止爪４８を形成する。また、電源部３５の他方の側部に固定爪５１を突出して形成し、この固定爪５１に対応するケース本体３１の内側に係止部５２を形成する。すなわち、ケース本体３１内に電源部３５を収納した際、可動フック４７がケース本体３１の係止爪４８に係止されると共に、固定爪５１がケース本体３１の係止部５２に係止されるように構成する。電源部３５をケース本体３１から取り出す場合は、可動フック４７を内側方向に押して係止爪４８とのロックを解除することにより行なう。【選択図】      図３
2006115332.tif 000002
【特許請求の範囲】
【請求項１】
電子機器のケース本体と、前記ケース本体に収納される電源部と、前記電源部の一方の側部に設けられる外部操作可能な可動フックと、前記ケース本体に前記可動フックに対応して設けられ、該可動フックを係止する係止爪と、前記電源部の他方の側部に設けられる固定爪と、前記ケース本体に前記固定爪に対応して設けられ、該固定爪を係止する係止部とを具備し、前記可動フックの外部操作により前記係止爪との結合を解除して前記電源部を前記ケース本体から取り出せるように構成したことを特徴とする電子機器のケース着脱構造。
【発明の詳細な説明】
【技術分野】
【０００１】
本発明は、電源分離可能型の増幅装置等における電子機器のケース着脱構造に関する。
【背景技術】
【０００２】
従来、ＣＡＴＶシステムにおいて、ヘッドエンド装置からＣＡＴＶ網を介してシステム加入者宅に伝送されるＴＶ信号のレベルが低い場合、システム加入者宅に増幅装置を設置し、ＴＶ信号を増幅してＴＶ受像機に供給している。上記のようにＣＡＴＶ網を介して送られてくるＴＶ信号を増幅する増幅装置では、従来、増幅装置内の電源部を分離可能に構成したものが考えられている（例えば、特許文献１参照。）。上記増幅装置は、一般に住宅の外壁部等に設置されるが、その設置した近くに商用交流電源のコンセントが設けられている場合は、増幅装置内に電源部を内蔵した状態で使用するが、近くに商用交流電源のコンセントが設けられていない場合には、増幅装置から電源部を分離して住宅内に設置し、増幅装置とＴＶ受像機とを接続する同軸ケーブルを利用して上記電源部から増幅装置に電源を供給する。
【０００３】
図５ないし図７は、上記従来の電源分離型増幅装置の構成を示したもので、図５は蓋を開いた状態を示す斜視図、図６は蓋部分を省略して示す平面図、図７は電源部を取り出して示す斜視図である。
【０００４】
図５及び図６において、１１はケース本体で、その上面開口部を覆うように蓋１２がヒンジ１３により回動可能に設けられている。上記ケース本体１１内には、前端側に増幅部１４、後端側に電源部１５が所定の間隔を保って設けられる。この電源部１５は、詳細を後述するように着脱可能に設けられる。
【０００５】
上記増幅部１４には、前面に下り入力・上り出力端子１６及び下り出力・上り入力端子１７が設けられる。この下り入力・上り出力端子１６及び下り出力・上り入力端子１７は、ケース本体１１の前面部に設けた取付け穴に固定して設けられる。上記下り入力・上り出力端子１６は同軸ケーブル（図示せず）を介してＣＡＴＶ網に接続され、下り出力・上り入力端子１７は、同軸ケーブル（図示せず）を介して住宅内に設置されているＴＶ受像機に接続される。
【０００６】
また、上記電源部１５は、ケースが合成樹脂により形成されており、図７に詳細を示すように左右両側部に弾力性を持たせた可動フック１８ａ、１８ｂが形成される。一方、ケース本体１１には、図５に示すように上記可動フック１８ａ、１８ｂに対応する部分に切欠きが設けられ、この切欠き部分の上端部に係止爪１９が形成される。そして、電源部１５をケース本体１１内に収納した際、上記可動フック１８ａ、１８ｂがケース本体１１側の係止爪１９と嵌合して電源部１５が固定されるようになっている。そして、可動フック１８ａ、１８ｂを両側から手で内側方向に押すと係止爪１９から外れるので、電源部１５をケース本体１１から取り出すことができる。
【０００７】
また、電源部１５の前端面には下り入力・上り出力端子２１及び下り出力・上り入力端子２２が設けられる。この下り入力・上り出力端子２１及び下り出力・上り入力端子２２は、図６に示すように増幅部１４と電源部１５との間に設けた空間部に位置する。上記下り入力・上り出力端子２１及び下り出力・上り入力端子２２は、電源部１５をケース本体１１から取り出して使用する場合に、増幅部１４の下り出力・上り入力端子１７及びＴＶ受像機に同軸ケーブルを介して接続される。
【０００８】
更に、電源部１５の前端側より電源コード２３が導出される。上記電源部１５は、電源コード２３を介して供給される商用交流電源を１５Ｖの直流電圧に変換し、増幅部１４に動作電源として供給する。
【特許文献１】特許第３２３９１０５号公報
【発明の開示】
【発明が解決しようとする課題】
【０００９】
上記従来の電源分離型増幅装置は、電源部１５の左右両側に可動フック１８ａ、１８ｂを設け、電源部１５をケース本体１１内に収納した際、可動フック１８ａ、１８ｂをケース本体１１に設けた係止爪１９に嵌合させて固定している。
【００１０】
このため電源部１５をケース本体１１から取り外す際は、可動フック１８ａ、１８ｂを両側から内側方向に押す必要があり、両手で作業しなければならず、片手では外すことができない。また、可動フック１８ａ、１８ｂには、弾性力が与えられているので、可動フック１８ａ、１８ｂを両側から均一の力で押さないと、片側の可動フック１８ａ又は１８ｂが係止爪１９に引っ掛かった状態となり、電源部１５の取り外しが困難である。すなわち、可動フック１８ａ、１８ｂを両側から押す力のバランスが悪かったり、一方側から押したのでは、電源部１５をケース本体１１から取り外すことができず、非常に作業性が悪いという問題がある。
【００１１】
本発明は上記の課題を解決するためになされたもので、片手の操作でケース本体から電源部を容易に取り外すことができ、作業性を向上し得る電子機器のケース着脱構造を提供することを目的とする。
【課題を解決するための手段】
【００１２】
本発明は、電子機器のケース本体と、前記ケース本体に収納される電源部と、前記電源部の一方の側部に設けられる外部操作可能な可動フックと、前記ケース本体に前記可動フックに対応して設けられ、該可動フックを係止する係止爪と、前記電源部の他方の側部に設けられる固定爪と、前記ケース本体に前記固定爪に対応して設けられ、該固定爪を係止する係止部とを具備し、前記可動フックの外部操作により前記係止爪との結合を解除して前記電源部を前記ケース本体から取り出せるように構成したことを特徴とする。
【発明の効果】
【００１３】
本発明によれば、電源部に設けられた可動フックを片手で操作するだけで、電源部をケース本体から容易に取り出すことが可能となり、作業性を向上することができる。また、電源部をケース本体に収納する場合は、可動フック側あるいは固定爪側の何れからケース本体に容易に装着することができる。
【発明を実施するための最良の形態】
【００１４】
以下、図面を参照して本発明の一実施形態を説明する。  
図１ないし図４は、本発明の一実施形態に係る電子機器のケース着脱構造を電源分離型増幅装置に実施した場合の構成例を示したもので、図１は蓋を開いた状態を示す平面図、図２は同側面図、図３は電源部の固定部分を示す断面図、図４はケース本体に対して電源部を着脱する場合の状態を示す断面図である。なお、図２は、電源コード部分を除いて示している。
【００１５】
図１及び図２において、３１は例えば合成樹脂により形成したケース本体で、その上面開口部を覆うように蓋３２がヒンジ３３により回動可能に設けられている。上記ケース本体３１は、例えば住宅の外壁面等に垂直に取り付けられて使用される。
【００１６】
上記ケース本体３１の前面側の上部には、弾力性を持たせたフック２６が設けられ、蓋３２の前端には上記フック２６に対応する位置に開閉つまみ２７が設けられる。この開閉つまみ２７には、上記フック２６に対応して係止穴（図示せず）が設けられており、蓋３２を閉じた際に開閉つまみ２７の係止穴内にフック２６が挿入されて蓋３２がロックされるようになっている。蓋３２を閉じた状態では、フック２６の上端が係止穴より上部に突出しており、このフック２６の上端を蓋３２の前端方向（手前）に押すとロックが解除され、蓋３２を上方に回動させて開くことができる。
【００１７】
そして、上記ケース本体３１内には、前端側に増幅部３４、後端側に電源部３５が近接して設けられる。この電源部３５は、詳細を後述するように着脱可能に設けられる。  
上記増幅部３４には、前面に下り入力・上り出力端子３６、下り出力・上り入力端子３７及び下り出力・上り入力モニタ端子３８が設けられる。上記下り入力・上り出力端子３６、下り出力・上り入力端子３７及び下り出力・上り入力モニタ端子３８は、ケース本体３１の前面部に設けた取付け穴に固定して設けられる。上記下り入力・上り出力端子３６は同軸ケーブル（図示せず）を介してＣＡＴＶ網に接続され、下り出力・上り入力端子３７は、同軸ケーブル（図示せず）を介して住宅内のＴＶ受像機に接続される。更に、増幅部３４の上面には、パイロットランプ３９が設けられると共に、例えば右隅部にアース端子４０が設けられる。
【００１８】
また、上記電源部３５は、ケースが例えば合成樹脂により形成されており、図３に詳細を示すように左右両側の一方、例えば左側部の中央部に弾力性を持たせた可動フック４７が設けられる。この可動フック４７は、弾力性を持たせた係止片４６の上端部にロック部を形成している。上記係止片４６は、ケース本体３１に対向する面をテーパ状に、すなわち下部から上部に向かって徐々に突出するようにテーパ状に形成している。一方、ケース本体３１の内側には、上記可動フック４７に対応する部分に係止爪４８が形成され、電源部３５をケース本体３１内に収納した際、上記可動フック４７がケース本体３１側の係止爪４８と結合して固定されるようになっている。
【００１９】
また、電源部３５には、上記可動フック４７と反対側のケース側面には、ほぼ中央部に固定爪５１が突出して形成される。この固定爪５１は、上部を平坦に形成すると共に、側面をテーパ状に、すなわち下部から上部に向かって徐々に突出するようにテーパ状に形成している。一方、ケース本体３１の内側には、上記固定爪５１に対応し、且つ固定爪５１より上方に位置するように係止部５２が形成される。この係止部５２は、下部を平坦に形成すると共に、側面をテーパ状に、すなわち上部から下部に向かって徐々に突出するようにテーパ状に形成している。また、係止部５２は、電源部３５がケース本体３１に収納された際、下端面が上記固定爪５１の上端面に当接するように固定爪５１との位置関係が設定される。
【００２０】
すなわち、ケース本体３１内に電源部３５を収納した際、固定爪５１の上端面がケース本体３１に形成された係止部５２の下端面に当接して係止されると共に、可動フック４７がケース本体３１の係止爪４８に結合して固定されるように構成している。
【００２１】
上記電源部３５をケース本体３１から取り出す場合は、可動フック４７を内側方向に押して係止爪４８との結合を解除すると、図４に示すように電源部３５の一方、すなわち可動フック４７側が設けられている側を上方に持ち上げて取り出すことができる。この場合、固定爪５１とケース本体３１の固定爪５１との間は、単に当接しているだけであるので、電源部３５の可動フック４７側を上方に持ち上げると、固定爪５１と係止部５２との係合が外れて電源部３５を外部に取り出すことができる。
【００２２】
また、電源部３５の前端面には、図１、図２に示すように上側に偏位させて下り入力・上り出力端子４１及び下り出力・上り入力端子４２が設けられる。この下り入力・上り出力端子４１及び下り出力・上り入力端子４２は、増幅部１４の後部上方に位置する。すなわち、電源部３５の厚さより増幅部３４を薄く形成し、増幅部１４の後部上方に下り入力・上り出力端子４１及び下り出力・上り入力端子４２を位置させている。
【００２３】
上記下り入力・上り出力端子４１及び下り出力・上り入力端子４２は、電源部３５をケース本体１１から分離して使用する場合に、増幅部３４の下り出力・上り入力端子３７とＴＶ受像機との間に接続される。すなわち、電源部３５の下り出力・上り入力端子４２を同軸ケーブルによりＴＶ受像機に接続し、下り入力・上り出力端子４１を同軸ケーブルにより増幅部３４の下り出力・上り入力端子３７に接続して使用する。
【００２４】
更に、電源部３５には、上側面にパイロットランプ４５が設けられると共に、前端側より電源コード４３が導出される。この電源コード４３は、電源部３５をケース本体３１に収納した場合、ケース本体３１内に形成した防水室４４内を通ってケース本体３１の前面から外部に導出される。
【００２５】
上記電源部１５は、例えば１００Ｖの商用交流電源を１５Ｖの直流電圧に変換し、増幅部３４に動作電源として供給するもので、ケース本体３１内に収納された場合には、図示しないがジャック及びプラグを介して増幅部３４に直流電圧を供給し、ケース本体３１から取り出された場合には、下り出力・上り入力端子４２より同軸ケーブルを介して増幅部３４の下り出力・上り入力端子３７に直流電圧を供給する。
【００２６】
上記実施形態で示したように、電源部３５には、一方の側部に弾力性を持たせた可動フック４７を設けてケース本体３１の係止爪４８に結合させ、他方の側部に固定爪５１を設けてケース本体３１の係止部５２に係止するように構成しているので、電源部３５をケース本体３１から取り出す場合は、可動フック４７を内側方向に押して係止爪４８との結合を解除するだけで、図４に示すように電源部３５を上方に持ち上げて取り出すことができる。この場合、固定爪５１の上面がケース本体３１の固定爪５１の下面に当接して係止されているだけであるので、電源部３５の可動フック４７側を上方に持ち上げると、固定爪５１と係止部５２との係合が外れて電源部３５を外部に取り出すことができる。
【００２７】
従って、片手で可動フック４７を操作するだけで、電源部３５をケース本体３１から容易に取り出すことが可能となり、作業性を向上することができる。
【００２８】
また、電源部３５をケース本体３１に収納する場合は、電源部３５をケース本体３１の所定の位置に載置して上から押すだけで装着することができる。この場合、電源部３５は、可動フック４７側を先に係止爪４８に係止させても、あるいは固定爪５１を先に固定爪５１に係止させても良い。すなわち、可動フック４７は、弾力性を有し、且つケース本体３１の係止爪４８に対向する面がテーパ状に形成されているので、電源部３５を上側から押すだけで可動フック４７を係止爪４８に結合させることができる。
【００２９】
また、電源部３５の他方側に設けた固定爪５１及びケース本体３１に設けた係止部５２も側面をテーパ状に形成しているので、上記可動フック４７側を先に装着した後に、電源部３５の固定爪５１側を上から押しても、固定爪５１のテーパ部が係止部５２のテーパ部に接触しながら円滑に下方に移動し、固定爪５１が係止部５２に係止される。この場合、可動フック４７が弾力性を有しているので、固定爪５１のテーパ部を係止部５２のテーパ部に接触させながら容易に移動させることができる。
【００３０】
また、図４に示したように電源部３５の固定爪５１側を先にケース本体３１内に挿入して係止部５２に係止させ、その後、可動フック４７を係止爪４８に係止することも可能である。
【００３１】
また、上記実施形態では、電源部３５の下り入力・上り出力端子４１及び下り出力・上り入力端子４２を前端面の上側に偏位して設けているので、電源部３５をケース本体３１に収納した場合、下り入力・上り出力端子４１及び下り出力・上り入力端子４２を増幅部３４の後端上部に位置させることができる。このため増幅部３４と電源部３５との間に、下り入力・上り出力端子４１及び下り出力・上り入力端子４２を位置させるための空間部を設ける必要がなく、増幅部３４と電源部３５とを近接配置することができる。この結果、増幅装置の小型化、あるいは増幅部３４の設置面積を大きく取って多機能化を図ることも可能である。
【００３２】
なお、上記実施形態では、電源部３５の側部の中央に可動フック４７を設けた場合について示したが、可動フック４７を中央から側方に偏位させて設けても良い。
【００３３】
また、上記実施形態では、電源分離型の増幅装置に実施した場合について示したが、その他、例えば光ケーブルを用いたシステムに使用される光・電気変換装置、電気・光変換装置等の電子機器において、電源分離型とする場合においても上記実施形態と同様にして実施し得るものである。  
また、本発明は、上記実施形態そのままに限定されるものではなく、実施段階ではその要旨を逸脱しない範囲で構成要素を変形して具体化できるものである。
【図面の簡単な説明】
【００３４】
【図１】本発明の一実施形態に係る電子機器のケース着脱構造を電源分離型増幅装置に実施した場合の蓋を開いた状態を示す平面図である。
【図２】同実施形態における側面図である。
【図３】同実施形態における電源部の固定部分を示す断面図である。
【図４】同実施形態において、ケース本体に対して電源部を着脱する場合の状態を示す断面図である。
【図５】従来の電源分離型増幅装置の蓋を開いた状態を示す斜視図である。
【図６】従来の電源分離型増幅装置の蓋部分を省略して示す平面図である。
【図７】従来の電源分離型増幅装置の電源部を取り出して示す斜視図である。
【符号の説明】
【００３５】
３１…ケース本体、３２…蓋、３３…ヒンジ、３４…増幅部、３５…電源部、３６…下り入力・上り出力端子、３７…下り出力・上り入力端子、３８…下り出力・上り入力モニタ端子、３９…パイロットランプ、４０…アース端子、４１…下り入力・上り出力端子、４２…下り出力・上り入力端子、４３…電源コード、４４…防水室、４５…パイロットランプ、４６…係止片、４７…可動フック、４８…係止爪、５１…固定爪、５２…係止部。
【図１】
2006115332.tif 000003
【図２】
2006115332.tif 000004
【図３】
2006115332.tif 000005
【図４】
2006115332.tif 000006
【図５】
2006115332.tif 000007
【図６】
2006115332.tif 000008
【図７】
2006115332.tif 000009